(57)【要約】      （修正有）【課題】携帯する際に先端が鋭利なドライバー軸をカバーし他の同梱物を傷つける事を防止し、さらに単独で使用時に一時的に手を空けたいときにも便利であるドライバーを提供する【解決手段】握持部をコの字にし、ドライバー軸６の突設していない側のアームに端面で開口せる鞘穴４を設けた。このドライバーを一対用意し、一方のドライバー軸をもう一方のドライバーの鞘穴に挿入させあうことで、輪の形状になる。こうすることで鋭利な先端部をお互いにカバーし、他の同梱物を傷つけない。さらに輪の形状のためキーホルダーのように掛けることができ、カバン等を携行できない際も容易に携帯できる。また、単独で使用時にコの字になっているため、フックのように手近なところにかけることができる。【選択図】図１
2006123145.tif 000002
【特許請求の範囲】
【請求項１】
先端にドライバー軸を突設した直棒状の把手があり、この把手の軸芯と平行に設けられた柱状体にその端面で開口せる把手の軸芯と平行な鞘穴を設け、柱状体と把手とを結合し、この結合部分のドライバー軸が突設している側に凹部を形成する構成で成るドライバー工具を２個一組とし、一方のドライバー工具のドライバー軸を他方のドライバー工具の鞘穴に着脱自在に嵌合し、２個を嵌合した際にそれぞれに設けた凹部が結合して一つの孔となることを特徴とするドライバー。
【請求項２】
上記ドライバー工具の少なくとも一方の柱状体の少なくとも端部に回動自在な雌ねじ筒を形成し、該ドライバー工具の該柱状体の鞘穴を貫通せしめるとともに、上記他方のドライバー工具の把手のドライバー軸側の端部にこの雌ねじ筒の回動によって螺合される雄ねじを設けたことを特徴とする請求項１記載のドライバー。
【請求項３】
上記凹部が、2個1組でもしくは1個単独で、ボルト、ナットを回すための平行部を有する孔、もしくは凹部となるように構成したことを特徴とする請求項１記載及び請求項２記載のドライバー。
【発明の詳細な説明】
【技術分野】
【０００１】
本発明は、ナットおよびねじ溝を有するねじをねじ止め可能なドライバーに関する。
【背景技術】
【０００２】
従来のドライバーは、特許文献１のように直棒状の把手と把手に固定して設けられた直棒状のドライバー軸とで構成される。また、ドライバー軸の先端には鋭利なねじビットが設けられている。
【０００３】
しかし、従来のような直棒状の形状では、特に数本のみを携帯する際に不便である。また、ドライバー軸の先端が鋭利で携帯時にはケース等で先端をカバーしなければ、他の同梱物を傷つける可能性がある。
【０００４】
それに対し、特許文献２の請求項４に記載された発明では、工具の把手にドライバー軸と平行にドライバー軸を格納する格納孔を設け、同形状の２本のドライバーを連結することで鋭利な先端が露出されない薄板状の方形状体になり、安全面を解決させている。
【特許文献１】特開平１１−１５６７５９号公報
【特許文献２】特開平５−３２９７８２号公報
【０００５】
ところが該発明では安全面は確保されたものの、形状が棒状から板状になることで体積が横に広がっており、携帯の容易さについては改善されていない。該発明は２本を携帯して使用する状況を想定した発明であるから、そのような状況では携帯性の改善こそ解決の望まれる課題である。
【０００６】
さらに、使用時に２本セットの状態から外した際の１本単体での形状に工夫がなく、例えば高所での作業時などに一時的に手を空かせたい場合にも不便である。
【０００７】
また、形状が棒状のドライバー軸、格納孔に対して握持部が板状となってしまっているため、形状が複雑になり、金型による成型のみの量産方法になる。金型代も形状が複雑であるがゆえに高くなる。
【０００８】
加えて、該発明ではレンチのみの機能に収まってしまっている。携帯時の使用を想定している以上、できる限り追加の機能が望まれる。
【発明の開示】
【発明が解決しようとする課題】
【０００９】
本発明は以上のような従来の欠点に鑑み、１）安全に、容易に携帯できる、２）使用時の利便性を高める、３）製造が容易に安価にできる、４）より多くの機能を持つドライバーを提供することを目的とする。
【００１０】
本発明の前記ならびにその他の目的と新規な特徴は次の説明を添付図面と照らし合わせて読むとより完全に明らかになるであろう。ただし、図面はもっぱら解説のためのものであって、本発明の記述的範囲を限定するものではない。
【課題を解決するための手段】
【００１１】
上記目的を達成するために、本発明は先端にドライバー軸６ａを突設した直棒状の把手２ａがあり、この把手２ａの軸芯と平行に設けられた柱状体３ａにその端面で開口せる把手の軸芯と平行な鞘穴４ａを設け、柱状体３ａと把手２ａとを結合し、この結合部分５ａのドライバー軸６ａが突設している側に凹部を形成する構成で成るドライバー工具１ａ，１ｂを２個一組とし、一方のドライバー工具のドライバー軸を他方のドライバー工具の鞘穴に着脱自在に嵌合し、２個を嵌合した際にそれぞれに設けた凹部が結合して一つの孔１３となるようドライバーを構成している。
【００１２】
また、上記ドライバー工具の少なくとも一方の柱状体３ａの少なくとも端部に回動自在な雌ねじ筒１５を形成し、該ドライバー工具ａ１の該柱状体３ａの鞘穴４ａを貫通せしめるとともに、上記他方のドライバー工具１ｂの把手２ｂのドライバー軸６ｂ側の端部にこの雌ねじ筒１５の回動によって螺合される雄ねじ１６を設けるよう請求項１記載のドライバーを構成している。
【００１３】
また、上記凹部が、2個1組でもしくは1個単独で、ボルト、ナットを回すための平行部を有する孔、もしくは凹部となるように構成したことを特徴とするよう、請求項１記載及び請求項２記載のドライバーを構成している。
【発明の効果】
【００１４】
以上の説明から明らかなように、本発明にあっては次に列挙する効果が得られる。
（１）先端にドライバー軸を突設した直棒状の把手があり、この把手の軸芯と平行に設けられた柱状体にその端面で開口せる把手の軸芯と平行な鞘穴を設け、柱状体と把手とを結合し、この結合部分のドライバー軸が突設している側に凹部を形成する構成で成るドライバー工具を２個一組とし、一方のドライバー工具のドライバー軸を他方のドライバー工具の鞘穴に着脱自在に嵌合し、２個を嵌合した際にそれぞれに設けた凹部が結合して一つの孔となるように構成されているので、孔の部分をキーホルダーのように引っ掛けることができるようになり、カバン等を携行できないような状況や、ポケットがないような状況でもベルトループに通すなどしてでも容易に携帯できる。
【００１５】
（２）前記（１）によって、２個を嵌合した際にそれぞれに設けた凹部が結合して一つの孔となるように構成されているので、前記（１）のように引っ掛けて携帯している際、引っ掛けた部分から外す行為がそのまま２つ結合している状態を１つづつにする行為になるため、迅速に作業にとりかかることができ、迅速に携帯していた状態に戻すことができる。
【００１６】
（３）前記（１）によって、結合部分５ａの下に凹部があるため、一本単体で使用時に一時的に手を空かせたいときにこの凹部をフックのようにして、手近なところに引っ掛けておくことが可能である。
【００１７】
（４）請求項２も前記（１）〜（３）と同様な効果が得られる。
【００１８】
（５）さらに、請求項２の発明では請求項１記載のドライバー工具の少なくとも一方の柱状体の少なくとも端部に回動自在な雌ねじ筒を形成し、該ドライバー工具の該柱状体の鞘穴を貫通せしめるとともに、上記他方のドライバー工具の把手のドライバー軸側の端部にこの雌ねじ筒の回動によって螺合される雄ねじを設けた構成のため、一対のドライバー工具をより強固に接合することができる。したがって、軽少なものを吊り下げるリングとしての役割も担えることとなり、ますます携帯が容易になる。
【００１９】
（４）請求項３も前記（１）〜（５）と同様な効果が得られる。
【００２０】
（５）さらに、請求項３の発明では請求項１記載のドライバー工具の凹部が、2個1組でもしくは1個単独で、ボルト、ナットを回すための平行部を有する孔、もしくは凹部となるように構成されるため、請求項１および請求項２同様の携帯の容易さのままで、ボルト、ナット回しの機能も担うことができる。
【発明を実施するための最良の形態】
【００２１】
以下、図面に示す発明を実施するための最良の形態により、本発明を詳細に説明する。
【００２２】
図１ないし図４の本発明を実施するための最良の第１形態において、１ａおよび１ｂは一対のドライバー工具である。それぞれの構成は、先端にドライバー軸６ａを突設した直棒状の把手２ａがあり、この把手２ａの軸芯と平行に設けられた柱状体３ａにその端面で開口せる把手の軸芯と平行な鞘穴４ａを設け、柱状体３ａと把手２ａとを結合し、この結合部分５ａのドライバー軸６ａが突設している側に凹部を形成する。図示の例では、結合部分５ａを把手２ａ及び柱状体３ａと同径とし、把手２ａおよび柱状体３ａのドライバー軸のない側の端部に架設したため、柱状体から結合部分を通って把手までがコの字形となっている。ドライバー工具１ｂも同様の構成とし、それぞれ２ｂは把手である。３ｂは柱状体で、４ｂは鞘穴である。５ｂは結合部分で、６ｂはドライバー軸である。
【００２３】
上記構成のドライバーは、通常使用する際はドライバー工具１ａ、ドライバー工具１ｂそれぞれで使用する。ドライバー工具１ａであれば、２ａを軸として３ａに力をかけて６ａの先端のドライバ刃先を回転させる。ドライバー工具１ｂであれば、２ｂを軸として３ｂに力をかけて６ｂの先端のドライバ刃先を回転させる。それぞれ、軸から離れた場所に力をかける点があるため、大きなトルクがかけられる。
【００２４】
また、それぞれコの字形をしているため、一時的に手を空かせたいときにこのコの字部分をフックのようにして、手近なところに引っ掛けておくことが可能である。
【００２５】
また、上記構成のドライバは使用しないときにドライバー工具１ａのドライバー軸６ａを他方のドライバー工具１ｂの鞘穴４ｂに嵌合し、ドライバー工具１ｂのドライバー軸６ｂをドライバー工具１ａの鞘穴４ａに嵌合することで、１と７を輪の形状に結合できる。
【００２６】
このような構成のドライバーは、輪の状態にした際に鋭利な先端部をお互いにカバーすることができ、他の同梱物を傷つけることがない。
【００２７】
また、上記ドライバーは、一対の把手を環状に結合できるので、例えばプラスとマイナスなど２つのドライバーをセットで容易に運ぶことができる。また、引っ掛けた部分から外す行為がそのまま２つ結合している状態を１つづつにする行為になるため、迅速に作業にとりかかることができ、迅速に携帯していた状態に戻すことができる。
【００２８】
さらに、上記ドライバーは把手を輪の状態に結合できるので、キーホルダーのように引っ掛けることができるようになり、カバン等を携行できないような状況でもベルトループにかけるなどして容易に携帯できる。
【００２９】
量産にはプラスチックの射出成型を想定するが、単純な形状であるがゆえに金型代も安く抑えられる。また、ドライバー軸よりも内径が太い金属パイプで曲げ加工でコの字形を形成すれば、より安く、少量からの量産が可能となる。
【００３０】
本発明のコの字形の握持部分は、図面９、１０にあるようなＵ字形でもＨ字形でも、弧であっても半円であってもよい。
【００３１】
材質は金属、プラスチック、木材など通常使用されるものすべてに適用可能である。
【００３２】
刃先はドライバーで示されているが、六角レンチなどの形状であってもよい。この刃先は取り外し可能な構造に置換えることも可能である。
{発明を実施するための異なる形態}
【００３３】
次に、図５ないし図８、および図１１に示す本発明を実施するための異なる形態につき説明する。なお、これらの本発明を実施するための異なる形態の説明に当たって、前記本発明の第１の実施するための最良の形態と同一構成部分には同一符号を付して重複する説明を省略する。
【００３４】
図５ないし図８の本発明の第２の実施するための形態において、前記本発明の第１の実施するための最良の形態と主に異なる点は第１の形態記載のドライバー工具１ａの少なくとも一方の柱状体３ａの少なくとも端部に回動自在な雌ねじ筒１５を形成し、該ドライバー工具１ａの柱状体３ａの鞘穴４ａを貫通せしめるとともに、上記他方のドライバー工具１ｂの把手２ｂのドライバー軸側の端部にこの雌ねじ筒１５の回動によって螺合される雄ねじ１６を設けた点である。
【００３５】
上記の構成により、一対の把手をより強固に輪の形状に接合することができる。したがって、軽少なものを吊り下げるリングとしての役割も担えることとなり、ますます携帯が容易になる。
【００３６】
図１１に示す第3の実施するための形態において、前記本発明の第１の実施形態、および第2の実施形態ともに異なる点は、請求項１および請求項２記載のドライバー工具の凹部が、2個1組でもしくは1個単独で、ボルト、ナットを回すための平行部を有する孔、もしくは凹部となるように構成される。図１１に示す例では、凹部をボルト、ナットを回すための平行部に加えて、ボルト、ナットの横ずれを防ぐように六角の二辺を凹部の結合部分側に設けている。
【００３７】
上記構成のドライバーは、ドライバーを使用する際には第1の実施形態、第2の実施形態と同様に使用できる。その上、ボルト、ナットを凹部の平行部に嵌めることでまわすことができるため、第1の実施形態および第2の実施形態と同様の携帯の容易さを維持しながら、ボルト、ナット回しの機能も担うことができ、ますます利便性が高まる。
【産業上の利用可能性】
【００３８】
本発明にかかるドライバーは、工業的に量産することが可能であるため、産業上の利用可能性を有する。
【図面の簡単な説明】
【００３９】
【図１】本発明、請求項１のドライバー本体の正面断面図である。
【図２】同上ドライバーの接合時の正面断面図である。
【図３】同上ドライバー本体の正面図である。
【図４】同上ドライバー接合時の正面図である。
【図５】本発明、請求項２のドライバーの本体の正面断面図である。
【図６】同上ドライバーの接合時の正面断面図である。
【図７】同上ドライバー本体の正面図である。
【図８】同上ドライバー接合時の正面図である。
【図９】本発明の別実施例の一例の正面図である。
【図１０】本発明の別実施例の一例の正面図である。
【図１１】本発明の別実施例の一例の正面図である。
【符号の説明】
【００４０】
１ａ    ドライバー工具
１ｂ    ドライバー工具
２ａ    把手
２ｂ    把手
３ａ    柱状体
３ｂ    柱状体
４ａ    鞘穴
４ｂ    鞘穴
５ａ    結合部分
５ｂ    結合部分
６ａ    ドライバー軸
６ｂ    ドライバー軸
１３    孔
１４    回動用ねじ
１５    雌ねじ筒
１６    雄ねじ
【図１】
2006123145.tif 000003
【図２】
2006123145.tif 000004
【図３】
2006123145.tif 000005
【図４】
2006123145.tif 000006
【図５】
2006123145.tif 000007
【図６】
2006123145.tif 000008
【図７】
2006123145.tif 000009
【図８】
2006123145.tif 000010
【図９】
2006123145.tif 000011
【図１０】
2006123145.tif 000012
【図１１】
2006123145.tif 000013